(57)【特許請求の範囲】
【請求項１】
所要形状に成形された中枠(B)の後側に遊技盤(H)保持用の保持枠(G)が配設されると共に、前記保持枠(G)の裏側に機構セット盤(J)が装備され、前記機構セット盤(J)の後面外周部に、球容器部材(12)、球整流路部材(13)、球送出路部材(14)、球払出装置(K1,K2)および球払出路部材(16)が夫々配設される一方、前記中枠(B)の前側上部に合成樹脂製の前枠(C)が開閉可能に組付けられ、前記前枠(C)の前側中央部に上球皿(D)が配設されると共に、前記前枠(B)の前面下部に下球皿(D)および打球操作部(F1)が設置され、機外から補給されて前記球容器部材(12)、前記球整流路部材(13)および前記球送出路部材(14)に一時的に貯留したパチンコ球を、前記球払出装置(K1,K2)の作動により前記球払出路部材(16)を介して前記上球皿(D)および前記下球皿(E)へ送出するパチンコ遊技機において、
前記中枠(B)は、カーボン材を混入した合成樹脂材から成形されて、第１の導電部材(30b)を介して外部接地(32)と電気的に導通され、
前記保持枠(G)は、カーボン材を混入した合成樹脂材から成形されて、第２の導電部材(31b)を介してパチンコ遊技機の電源(33)と電気的に導通され、
前記中枠(B)と前記保持枠(G)とは、金属製の連結部材(34)により相互に組付けられて、該連結部材(34)を介して電気的に導通され、
前記機構セット盤(J)は、前記保持枠(G)を全面的に被覆する形状に合成樹脂材から成形されて、該機構セット盤(J)の後側に配設された前記球容器部材(12)、球整流路部材(13)、球送出路部材(14)および球払出路部材(16)と、前記中枠(B)の前側に配設された前記前枠(C)、前記上球皿(D)の前側に配設された合成樹脂製の外郭化粧部材(25)、前記下球皿(E)の前側に配設された合成樹脂製の外郭化粧部材(26)および前記打球操作部(F1)とを、遊技機の前後方向に隔離し、
前記球容器部材(12)、球整流路部材(13)、球送出路部材(14)および球払出路部材(16)は、カーボン材を混入した合成樹脂材から成形されると共に、第３の導電部材(30a)を介して前記中枠(B)と電気的に導通され、
前記前枠(B)、各外郭化粧部材(25,26)および打球操作部(F1)は、第４の導電部材(31a)を介して前記保持枠(G)と電気的に導通され、
前記球容器部材(12)、球整流路部材(13)、球送出路部材(14)および球払出路部材(16)に帯電した静電気を、前記第３の導電部材(30a)、前記中枠(B)および前記第１の導電部材(30b)を介して前記外部接地(32)へ放電させ、
前記第１の導電部材(30b)の配線不良に際し、前記球容器部材(12)、球整流路部材(13)、球送出路部材(14)および球払出路部材(16)に帯電した静電気を、前記第３の導電部材(30a)、前記中枠(B)、前記連結部材(34)、前記保持枠(G)および前記第２の導電部材(31b)を介して前記電源(33)へ放電させ、
前記前枠(B)、各外郭化粧部材(25,26)および打球操作部(F1)に帯電した静電気を、前記第４の導電部材(31a)、前記保持枠(G)および前記第２の導電部材(31b)を介して前記電源(33)へ放電させるよう構成した
ことを特徴とするパチンコ遊技機。
【発明の詳細な説明】
【０００１】
【発明の属する技術分野】
この発明は、パチンコ遊技機に関し、更に詳細には、パチンコ球を遊技媒体として遊技を行なう際に発生する静電気を好適にアースすることで、適切なノイズ対策を図るようにしたパチンコ遊技機に関するものである。
【０００２】
【従来の技術】
パチンコホールでは、パチンコ球を遊技媒体とするパチンコ遊技機等が設置枠台(通称「島」)に多数設置されており、これらパチンコ遊技機に対して該パチンコ球を供給する球補給設備、各パチンコ遊技機で遊技に供された後に排出されたパチンコ球を回収する球回収設備、また回収されたパチンコ球を洗浄したり研磨する研磨設備等が備付けられており、ホール営業中には大量のパチンコ球が各設備内を常に循環移動している。前記パチンコ球は、スチール製で高電気伝導性を有する電気良導体であるから、前記球補給設備、球回収設備、研磨設備内を循環移動する際に、該パチンコ球同士が相互に擦れ合ったり、また各設備を構成する部材と擦れ合うことで、静電気が帯電し易くなっている。一方、近年に設計・製作される新型のパチンコ遊技機は、合成樹脂成形部品の使用比率が一段と増大しているため、パチンコ遊技中にパチンコ球が該遊技機内を移動する際にも静電気が帯電し易くなっている。
【０００３】
このため、設置枠台に設置される各パチンコ遊技機は、自機に装備したアース線を外部(一般的には地面(グランド))に接地させることで該遊技機に帯電した静電気を放電して、静電気を原因とした電気機器や電気装置等の誤作動や故障等を防止するようになっている。すなわち従来のパチンコ遊技機では、例えば図４に概念的に略示するように、該遊技機を構成する全ての構成部材に帯電した全静電気を、アース線等の導電部材を介して一括してアース部(通常は外部接地)へ放電するようになっている。
【０００４】
【発明が解決しようとする課題】
しかしながら前述した従来の静電気対策では、前記アース線を利用した１系統だけで全ての静電気の放電を行なうように構成されていたため、パチンコ遊技機を設置枠台へ設置する際にアース線の配線処理を適切に実施しなかったり、またアース線の配線施工ミス等があった場合には、パチンコ遊技機に帯電した静電気を適切かつ確実に放電させ得ない問題が発生する。また、アース線の配線処理が適切に実施された場合には静電気の放電が確実になされるとしても、例えばパチンコホールが落雷の直撃を受けた際には、該アース線を介してサージ電流がパチンコ遊技機へ及ぶ可能性があり、該遊技機を構成する電気機器や電気装置に重大なダメージを与える欠点も指摘される。
【０００５】
一方、前記パチンコ遊技機が帯電する静電気は、▲１▼前記球補給設備から供給されるパチンコ球に帯電した静電気(以下、「外部静電気」という)と、▲２▼当該パチンコ遊技機内をパチンコ球が移動する際に発生する静電気(以下、「内部静電気」という)との２種類に大別される。このうち、後者の内部静電気はその発生量が概ね予測できるが、前者の外部静電気は、補給されるパチンコ球に帯電している静電気の量が一定ではないため、その流入量が全く予測不可能である。このため、大量の外部静電気がパチンコ遊技機へ流れ込んだ場合には、該静電気が前記アース線を介して外部接地へ一気に流れてしまうから、この際に複写ノイズが発生して電気機器や電気装置の誤作動や故障を招来してしまう。
【０００６】
【発明の目的】
本発明は、前述した従来の技術に内在している前記課題に鑑み、これを好適に解決するべく提案されたものであって、遊技媒体としてのパチンコ球や遊技機自体に帯電した静電気を確実に放電し得るようにする一方、落雷によるサージ電流等から当該遊技機を適切に保護し得るようにしたパチンコ遊技機を提供することを目的とする。
【０００７】
【課題を解決するための手段】
前述した課題を克服し、所期の目的を好適に達成するため本発明は、
所要形状に成形された中枠の後側に遊技盤保持用の保持枠が配設されると共に、前記保持枠の裏側に機構セット盤が装備され、前記機構セット盤の後面外周部に、球容器部材、球整流路部材、球送出路部材、球払出装置および球払出路部材が夫々配設される一方、前記中枠の前側上部に合成樹脂製の前枠が開閉可能に組付けられ、前記前枠の前側中央部に上球皿が配設されると共に、前記前枠の前面下部に下球皿および打球操作部が設置され、機外から補給されて前記球容器部材、前記球整流路部材および前記球送出路部材に一時的に貯留したパチンコ球を、前記球払出装置の作動により前記球払出路部材を介して前記上球皿および前記下球皿へ送出するパチンコ遊技機において、
前記中枠は、カーボン材を混入した合成樹脂材から成形されて、第１の導電部材を介して外部接地と電気的に導通され、
前記保持枠は、カーボン材を混入した合成樹脂材から成形されて、第２の導電部材を介してパチンコ遊技機の電源と電気的に導通され、
前記中枠と前記保持枠とは、金属製の連結部材により相互に組付けられて、該連結部材を介して電気的に導通され、
前記機構セット盤は、前記保持枠を全面的に被覆する形状に合成樹脂材から成形されて、該機構セット盤の後側に配設された前記球容器部材、球整流路部材、球送出路部材および球払出路部材と、前記中枠の前側に配設された前記前枠、前記上球皿の前側に配設された合成樹脂製の外郭化粧部材、前記下球皿の前側に配設された合成樹脂製の外郭化粧部材および前記打球操作部とを、遊技機の前後方向に隔離し、
前記球容器部材、球整流路部材、球送出路部材および球払出路部材は、カーボン材を混入した合成樹脂材から成形されると共に、第３の導電部材を介して前記中枠と電気的に導通され、
前記前枠、各外郭化粧部材および打球操作部は、第４の導電部材を介して前記保持枠と電気的に導通され、
前記球容器部材、球整流路部材、球送出路部材および球払出路部材に帯電した静電気を、前記第３の導電部材、前記中枠および前記第１の導電部材を介して前記外部接地へ放電させ、
前記第１の導電部材の配線不良に際し、前記球容器部材、球整流路部材、球送出路部材および球払出路部材に帯電した静電気を、前記第３の導電部材、前記中枠、前記連結部材、前記保持枠および前記第２の導電部材を介して前記電源へ放電させ、
前記前枠、各外郭化粧部材および打球操作部に帯電した静電気を、前記第４の導電部材、前記保持枠および前記第２の導電部材を介して前記電源へ放電させるよう構成したことを特徴とする。
【０００８】
【作用】
パチンコ球を遊技媒体としてパチンコ遊技が展開される際に、上球皿または下球皿へ送出される前の該パチンコ球が直接的に接触する球容器部材、球整流路部材、球送出路部材および球払出路部材に帯電した静電気を、第３の導電部材、導電性を有する大型の合成樹脂成形部材である中枠および第１の導電部材を介して外部接地へ放電させ得る。また、遊技機前側に配設される前枠、上球皿の外郭化粧部材、下球皿の外郭化粧部材および打球操作部に帯電した静電気を、第４の導電部材、導電性を有する大型の合成樹脂成形部材である保持枠および第２の導電部材を介して当該遊技機の電源へ放電させ得る。これにより、球容器部材、球整流路部材、球送出路部材および球払出路部材に帯電した静電気は機外へゆっくりと放電されて複写ノイズの発生が好適に防止されると共に、前枠、上球皿の外郭化粧部材、下球皿の外郭化粧部材および打球操作部帯電した静電気も機外へゆっくりと放電されて新たなノイズの発生が好適に防止される。
【０００９】
また、中枠と保持枠とが金属製の連結部材により電気的に導通されているので、球容器部材、球整流路部材、球送出路部材および球払出路部材に帯電した静電気を、第３の導電部材、中枠、連結部材、保持枠および第２の導電部材を介して前記電源へ放電させ得る。従って、外部接地に対して第１の導電部材による適切なアース対策が施されていない場合には、球容器部材、球整流路部材、球送出路部材および球払出路部材に帯電した静電気を電源へ放電させ得るから、適切かつ確実な静電気の放電が図られる。また、落雷等により外部接地からサージ電流が流入した際には、前記中枠が所謂抵抗部材として機能し、該電流が遊技機内へ及んで電気機器や電気装置にダメージを与えることが回避され、遊技機を好適に保護する。しかも、サージ電流により外部接地の電圧が電源の電圧よりも高くなった場合には、該サージ電流を、中枠から連結部材を介して保持枠へ流した後に電源へ放電させ得るから、遊技機の保護性能を更に向上することができる。
【００１０】
【発明の実施の形態】
次に、本発明に係るパチンコ遊技機につき、好適な実施例を挙げ、添付図面を参照しながら以下詳細に説明する。
【００１１】
図２は本実施例のパチンコ遊技機Ｐの正面図、図３は図２に示したパチンコ遊技機Ｐの背面図であって、このパチンコ遊技機Ｐは種々の構成部材で構成され、図示しない球補給設備から補給されるパチンコ球を遊技媒体として遊技を行なうものである。このパチンコ遊技機Ｐは、矩形枠体としての外枠Ａの開口前面側に、カーボンチップまたはカーボンファイバー等のカーボン材を適宜混入した合成樹脂(ＡＢＳ材等)から所要形状に成形された中枠Ｂが、連結支持手段および施錠手段を利用して着脱および開放可能に組付けられている。この中枠Ｂの前側上部には、ガラス板を組付けた合成樹脂製の前枠Ｃが横開き式に組付けられ、また該中枠Ｂの前側中央部には、後述する球払出装置Ｋ１,Ｋ２から払出された遊技球を一時的に貯留する合成樹脂製の上球皿Ｄが着脱および開放可能に組付けられると共に、更に該中枠Ｂの前側下部には、前記球払出装置Ｋ２から払出された賞球を一時的に貯留する合成樹脂製の下球皿Ｅや、打球発射装置Ｆの打球操作部Ｆ１等が設置されている。また前記中枠Ｂの後側には、カーボンチップまたはカーボンファイバーを適宜混入した合成樹脂から所要形状に成形された保持枠Ｇが設けられ、該保持枠Ｇの正面内部に遊技盤Ｈが着脱交換可能にセットされる。
【００１２】
一方、前記中枠Ｂに設けた保持枠Ｇの裏側には、該保持枠Ｇを全面的に被覆するサイズおよび形状に形成された合成樹脂製(ＡＢＳ材等)の機構セット盤Ｊが着脱可能に装備され、その中央部に遊技盤裏面の点検用の窓口１０が開口されると共に、この窓口１０に裏カバー部材１１が開閉および着脱可能に取着されている。そして、前記窓口１０の上部から右側部に亘る外周囲部に、カーボンチップ入りの合成樹脂(ＰＰ材等)製の球容器部材１２、カーボンファイバー入りの合成樹脂(ＰＣ材等)製の球整流路部材１３、カーボンファイバー入りの合成樹脂(ＡＢＳ材等)製の球送出路部材１４等が前記機構セット盤Ｊに直接的に取着され、これら各部材１２,１３,１４により球貯留排出経路部１５が形成されている。また該球貯留排出経路部１５の下側には、カーボンチップ入りの合成樹脂(ＰＣ材等)から成形されたケースを主体としたカセット形態で電動制御式の第１球払出装置Ｋ１(貸球用)および第２球払出装置Ｋ２(賞球用)が、前記機構セット盤Ｊに直接固定されている。更に前記球払出装置Ｋ１,Ｋ２の下方には、機構セット盤Ｊに固定したカーボンチップ入りの合成樹脂(ＡＢＳ材等)から成形された球払出路部材１６等により球払出路１７が形成され、これら球払出装置Ｋ１,Ｋ２から払出された貸球および賞球が、該球払出路１７を介して前記上球皿Ｄまたは下球皿Ｅへ給出されるようになっている。
【００１３】
なお前記窓口１０の下方には、パチンコ遊技機Ｐを全体的に制御する主制御装置１８や、前記球払出装置Ｋ１,Ｋ２を制御する払出制御装置１９、インターフェースボード２０および電源分配基板２１等が所要位置に設置固定される一方、前記裏カバー部材１１の背面に電源基板を収容した電源装置２２が設置固定されている。更に、前記中枠Ｂの背面左下部に発射制御装置２３、該中枠Ｂの背面右下部に音制御装置２４が設置固定されている。
【００１４】
前述のように構成されたパチンコ遊技機Ｐでは、パチンコホール内の設置枠台(「島設備」)に縦向きの姿勢で設置した後、機外の球補給設備(図示せず)から球貯留排出経路部１５における前記球容器部材１２内へパチンコ球が適時に補給され、補給されたパチンコ球は該球容器部材１２から球整流路部材１３および球送出路部材１４を介して第１および第２球払出装置Ｋ１,Ｋ２まで到来し、貯留球として該球貯留排出経路部１５内へ貯留される。そして貯留球が正常に貯留されている状態において、遊技者が適正な球貸し操作を行なった場合には、この操作に応答して第１球払出装置Ｋ１が作動制御され、球貯留排出経路部１５内の所定数の貯留球が貸球として球払出路１７を介して前記上球皿Ｄ側へ給出される。
【００１５】
次いで、遊技者が前記打球発射装置Ｆにより所要の打球操作を行なった際には、前記上球皿Ｄの球貯留部内に一時貯留されていた貸球が、遊技球として発射レールを介して前記遊技盤Ｈの遊技領域内へ連続的に打出される。ここで、前記遊技盤Ｈ内でパチンコゲームが展開されている途中で入賞具や入賞装置で入賞球が発生した場合には、これに応答して前記第２球払出装置Ｋ２が作動制御され、所定数の貯留球が賞球として前記球払出路１７を介して前記上球皿Ｄ側へ給出され、該上球皿Ｄが満杯となった以後は下球皿Ｅ側へ給出される。
【００１６】
次に、前述のように構成されたパチンコ遊技機Ｐに実施した静電気対策につき、図１に基いて説明する。実施例のパチンコ遊技機Ｐでは、この図１に概念的に略示するように、該遊技機Ｐを構成する前述した種々の構成部材を、第１の構成部材および第２の構成部材の二つのグループに分け、このうちの第１の構成部材は、導電部材３０を介して外部接地(第１のアース部)３２と電気的に導通させ、またこの第１の構成部材以外の第２の構成部材は、別の導電部材３１および前記電源装置２２を介して電源(ＡＣ２４Ｖ)(第２のアース部)３３と電気的に導通させた構成とされている。
【００１７】
ここで、第１の構成部材と第２の構成部材との区分基準は、前記パチンコ球が直接的に接触するか接触しないかとされており、例えば第１の構成部材は前記パチンコ球が直接的に接触する部材とされ、また第２の構成部材は前記パチンコ球が接触しない部材とされている。具体的に第１の構成部材としては、前記球貯留排出経路部１５を構成する前記球容器部材１２、球整流路部材１３、球送出路部材１４および球払出路部材１６等や、更には番号指示しない前記パチンコ球が直接的に接触する種々の構成部材である。一方、第２の構成部材としては、前記前枠Ｃ、打球発射装置Ｆの打球操作部Ｆ１、上球皿Ｄの外郭化粧部材２５、下球皿Ｅの外郭化粧部材２６等や、これ以外の番号指示しない前記パチンコ球が直接的に接触しない種々の構成部材である。
【００１８】
また、前記導電部材３０および導電部材３１は、良好な導電性を有する高電気伝導材であって、例えば銅線を樹脂製被覆材で被覆して構成されるリード線や、金属板を成形した端子部材等が好適に採用される。
【００１９】
これにより、例えば球補給設備から補給されたパチンコ球に帯電していた静電気(外部静電気)や、パチンコ遊技中に当該パチンコ遊技機Ｐ内をパチンコ球が移動することで発生する静電気(内部静電気)は、各パチンコ球が前記球容器部材１２、球整流路部材１３および球送出路部材１４等の第１の構成部材に接することで、これら部材１２,１３,１４へ移動した後に前記導電部材３０を介して機外の外部接地３２へ放電されるようになる。一方、前記外部静電気および内部静電気のうち、前記前枠Ｃ等の第２の構成部材へ移動した静電気は、前記導電部材３１を介して当該遊技機Ｐの電源３３へ放電されるようになる。
【００２０】
また実施例のパチンコ遊技機Ｐでは、図１に概念的に略示するように、前記第１の構成部材および第２の構成部材を適宜の絶縁性部材で絶縁する一方、この第１の構成部材と前記第１のアース部との間に第１の低電気伝導性部材を介在させると共に、前記第２の構成部材と前記第２のアース部との間に第２の低電気伝導性部材を介在させてある。ここで絶縁性部材は、電気不良導体とされる合成樹脂成形部品であって、実施例のパチンコ遊技機Ｐでは前記機構セット盤Ｊが該部材に対応している。すなわち、前記機構セット盤Ｊの背面側に直接的に取着された第１の構成部材としての前記球容器部材１２、球整流路部材１３、球送出路部材１４、球払出装置Ｋ１,Ｋ２および球送出路部材１４等と、該機構セット盤Ｊの前面側に位置する前記前枠Ｃ、上球皿Ｄおよび下球皿Ｅの各外郭化粧部材２５,２６等とは、この機構セット盤Ｊを間に挟んで遊技機Ｐの前後方向へ離間して絶縁状態とされている。
【００２１】
一方、前記第１および第２の各低電気伝導性部材における「低電気伝導性」とは、電気不良導体である合成樹脂等と、高電気伝導性(電気良導体)を有する鉄等との比較によって決定される概念であって、例えばカーボンチップやカーボンファイバー等のカーボン材を混入した合成樹脂成形部品であって、実施例のパチンコ遊技機Ｐでは前記中枠Ｂや前記保持枠Ｇがこれに対応する。すなわち、一般的な「鉄」の導電率は１.０３ｅ７Ｓ/ｍであり、一般的な「カーボン」の導電率は３.０ｅ４Ｓ/ｍであるから、鉄の導電率と比較した場合、カーボンの導電率はかなり低くなっている。
【００２２】
これにより、前記中枠Ｂと該中枠Ｂの後側に配設された前記保持枠Ｇとを適宜に絶縁状態としたもとで、前記第１の構成部材と前記第１のアース部との間に前記中枠Ｂを介在させて、第１の構成部材と中枠Ｂとを前記導電部材３０(３０ａ)で電気的に接続し、また該中枠Ｂと第１のアース部とを同じく導電部材３０(３０ｂ)で電気的に接続すれば、該第１の構成部材である前記球容器部材１２、球整流路部材１３、球送出路部材１４および球払出路部材１６等に帯電した静電気は、この中枠Ｂに一旦流れた後に第１のアース部である外部接地３２へ放電される。この際、前記中枠Ｂは大型の低電気伝導性部材とされているから、中枠Ｂに流れた静電気は外部接地３２へ一気に流れることなく徐々に流れるようになるから、例えば複写ノイズの発生等が好適に防止される。
【００２３】
また、前記第２の構成部材と前記第２のアース部との間に前記保持枠Ｇを介在させて、第２の構成部材と保持枠Ｇとを前記導電部材３１(３１ａ)で電気的に接続し、また該保持枠Ｇと第２のアース部とを同じく導電部材３１(３１ｂ)で電気的に接続すれば、前記前枠Ｃ、打球発射装置Ｆの打球操作部Ｆ１、上球皿Ｄの外郭化粧部材２５、下球皿Ｅの外郭化粧部材２６等に帯電した静電気は、この保持枠Ｇに一旦流れた後に第２のアース部である電源３３へ放電される。この際に、前記保持枠Ｇは大型の低電気伝導性部材とされているから、中枠Ｂに流れた静電気は電源３３へ一気に流れることなく徐々に流れるようになるから、例えば複写ノイズの発生等が好適に防止される。
【００２４】
一方、外部接地３２と第１の構成部材との間に中枠Ｂを介在させたことにより、例えば落雷を原因として該外部接地３２からサージ電流が当該パチンコ遊技機Ｐへ及んだとしても、前記中枠Ｂが所謂「抵抗部材」として機能するようになるから、該遊技機Ｐに設置された電気機器や電気装置を好適に保護し得る。
【００２５】
一方、前記保持枠Ｇと前記中枠Ｂとは、例えば高電気伝導性を有する金属製の連結部材(例えばボルト、ナット、ビス等)３４を利用して相互に組付け、数カ所の部位において電気的な導通を図るようにしてもよい。このように構成すれば、例えば前記外部接地３２からサージ電流が侵入した場合には、該サージ電流を前記中枠Ｂから前記連結部材３４を介して前記保持枠Ｇへ流し、更に電源３３へ放電させることが可能となる。また、前記導電部材３０を外部接地３２へ確実に配設処理されていない場合でも、前記第１の構成部材から中枠Ｂへ流れた静電気を、前記連結部材３４を介して保持枠Ｇへ流した後に電源３３へ放電させることが可能となる。
【００２６】
【実施例の作用】
図１に概念的に略示したように、本実施例のパチンコ遊技機Ｐでは、図示しない球補給設備から補給されるパチンコ球を遊技媒体としてパチンコ遊技が展開されている際に、パチンコ球と直接的に接触する第１の構成部材としての球容器部材１２、球整流路部材１３、球送出路部材１４および球払出路部材１６等に帯電した静電気は、導電部材３０(３０ａ)を介して前記中枠Ｂへ一旦流れた後に、導電部材３０(３０ｂ)を介して第１のアース部である外部接地３２へ放電される。この際に、前記中枠Ｂが低電気伝導性部材であるから、該中枠Ｂに流れ込んだ静電気は徐々にゆっくりと外部接地３２へ流れるようになるから、複写ノイズが発生することはない。
【００２７】
また、パチンコ球を遊技媒体としてパチンコ遊技が展開されている際に、パチンコ球と直接的に接触しない第２の構成部材としての前記前枠Ｃ、打球発射装置Ｆの打球操作部Ｆ１、上球皿Ｄの外郭化粧部材２５、下球皿Ｅの外郭化粧部材２６等に帯電した静電気は、導電部材３１(３１ａ)を介して前記保持枠Ｇへ一旦流れた後、導電部材３１(３１ｂ)を介して第２のアース部である電源３３へ放電される。この際に、前記保持枠Ｇが低電気伝導性部材であるから、該保持枠Ｇに流れ込んだ静電気は徐々にゆっくりと電源３３へ流れるようになるから、複写ノイズが発生することはない。
【００２８】
従って実施例のパチンコ遊技機Ｐでは、当該遊技機Ｐに帯電した静電気を、第１アース部である外部接地３２と第２アース部である電源３３との２系統に分けて放電するようにしたから、全ての静電気を効率的かつ確実に放電させ得る。しかも、第１の構成部材と外部接地３２との間に低電気伝導性部材である中枠Ｂを介在させてあるから、第１の構成部材に帯電した静電気は該中枠Ｂを介して外部接地３２へゆっくりと流れて放電されるようになり、静電気が一気に流れることによる複写ノイズの発生が好適に防止される。同様に、第２の構成部材と電源３３との間に低電気伝導性部材である保持枠Ｇを介在させてあるから、第２の構成部材に帯電した静電気は該保持枠Ｇを介して電源３３へゆっくりと流れて放電されるようになり、静電気が一気に流れることによる複写ノイズの発生が好適に防止される。
【００２９】
また、落雷等により前記外部接地３２から導電部材３０(３０ｂ)を介してサージ電流が流れ込んだ場合には、前記中枠Ｂが好適な抵抗部材として機能するから、このサージ電流が第１の構成部材としての球容器部材１２、球整流路部材１３、球送出路部材１４および球払出路部材１６等へ及び難い。従って、パチンコ遊技機Ｐに装備された電気機器や電気装置が、誤作動したり故障してダメージを受ける等の不都合が好適に回避され、当該遊技機Ｐの好適な保護が図られる。
【００３０】
更に、前記サージ電流により、外部接地３２の電圧が電源３３の電圧よりも高くなった場合には、中枠Ｂへ流入したサージ電流は、前記連結部材３４を介して前記保持枠Ｇへ移動した後、導電部材３１(３１ｂ)を介して電源３３へ放電されるようになり、遊技機Ｐの保護性能をより一層向上させることが可能となる。
【００３１】
一方、設置枠台に当該パチンコ遊技機Ｐを設置した際に、配線ミス等により適切なアース対策が実施されていない場合には、パチンコ球と直接的に接触する第１の構成部材としての球容器部材１２、球整流路部材１３、球送出路部材１４および球払出路部材１６等に帯電した静電気は、導電部材３０(３０ａ)を介して前記中枠Ｂへ一旦流れた後に、前記連結部材３４を介して保持枠Ｇへ流れるようになり、導電部材３１(３１ｂ)を介して第２のアース部である電源３３へ放電されるから、適切かつ確実な静電気の放電が図られる。しかも、前記中枠Ｂおよび保持枠Ｇが低電気伝導性部材であるから、静電気は徐々にゆっくりと電源３３へ流れるようになり、静電気が一気に流れることにより複写ノイズが発生することはない。
【００３２】
なお前記実施例では、第１のアース部３２を外部接地とし、第２のアース部３３を電源(ＡＣ２４Ｖ)とした場合を例示したが、第１のアース部３２を電源(ＡＣ２４Ｖ)とすると共に第２のアース部３３を外部接地としてもよい。この場合には、前記球容器部材１２、球整流路部材１３および球送出路部材１４等の第１の構成部材に移動した静電気は、前記導電部材３０(３０ａ,３０ｂ)を介して当該遊技機Ｐの電源３３へ放電され、また前記前枠Ｃ等の第２の構成部材へ移動した静電気は、前記導電部材３１(３１ａ,３１ｂ)を介して機外の外部接地３２へ放電される。
【００３３】
更に前記実施例では、第１の低電気伝導性部材を中枠Ｂとし、第２の低電気伝導性部材を保持枠Ｇとした場合を例示したが、第１の低電気伝導性部材を保持枠Ｇとし、第２の低電気伝導性部材を中枠Ｂとしもよい。
【００３４】
【発明の効果】
以上説明した如く、本発明に係るパチンコ遊技機では、当該遊技機に帯電した静電気を外部接地および電源に放電するように構成したから、全ての静電気を効率的かつ確実に放電し得る利点がある。すなわち、パチンコ球を遊技媒体としてパチンコ遊技が展開されている際に、上球皿または下球皿へ送出される前の該パチンコ球が直接的に接触する球容器部材、球整流路部材、球送出路部材および球払出路部材に帯電した静電気を、第３の導電部材、中枠および第１の導電部材を介して外部接地へ放電させ得る一方、遊技機前側に配設される前枠、上球皿の外郭化粧部材、下球皿の外郭化粧部材および打球操作部に帯電した静電気を、第４の導電部材、保持枠および第２の導電部材を介して当該遊技機の電源へ放電させ得る。これにより、球容器部材、球整流路部材、球送出路部材および球払出路部材に帯電した静電気は機外へゆっくりと放電されて複写ノイズの発生が好適に防止されると共に、前枠、上球皿の外郭化粧部材、下球皿の外郭化粧部材および打球操作部帯電した静電気も機外へゆっくりと放電されて新たなノイズの発生が好適に防止される。
【００３５】
また、中枠と保持枠とが金属製の連結部材により電気的に導通されているので、球容器部材、球整流路部材、球送出路部材および球払出路部材に帯電した静電気を、第３の導電部材、中枠、連結部材、保持枠および第２の導電部材を介して当該遊技機の電源へも放電させ得る。従って、外部接地に対して第１の導電部材による適切なアース対策が施されていない場合には、球容器部材、球整流路部材、球送出路部材および球払出路部材に帯電した静電気を電源へ放電させ得るから、適切かつ確実な静電気の放電が図られる。また、落雷等により外部接地からサージ電流が流入した際には、前記中枠が所謂抵抗部材として機能し、該電流が遊技機内へ及んで電気機器や電気装置にダメージを与えることが回避され、遊技機を好適に保護する。しかも、サージ電流により外部接地の電圧が電源の電圧よりも高くなった場合には、該サージ電流を、中枠から連結部材を介して保持枠へ流した後に電源へ放電させ得るから、遊技機の保護性能を更に向上することができる等の有益な効果を奏する。
【図面の簡単な説明】
【図１】本発明の実施例に係るパチンコ遊技機に実施された静電気の放電系統を、概念的に略示した説明図である。
【図２】実施例のパチンコ遊技機の正面図である。
【図３】実施例のパチンコ遊技機の背面図である。
【図４】従来のパチンコ遊技機に実施された静電気の放電系統を、概念的に略示した説明図である。
【符号の説明】
１２  球容器部材
１３  球整流路部材
１４  球送出路部材
１６  球払出路部材
２５,２６  外郭化粧部材
３０ａ 第３の導電部材
３０ｂ 第１の導電部材
３１ａ 第４の導電部材
３１ｂ 第２の導電部材
３２  外部接地  
３３  電源  
３４  連結部材
Ｂ  中枠
Ｃ  前枠
Ｄ  上球皿
Ｅ  下球皿
Ｆ１  打球操作部
Ｇ  保持枠
Ｈ  遊技盤
Ｊ  機構セット盤
Ｋ１,Ｋ２  球払出装置
【図１】
0004304650.tif 000002
【図２】
0004304650.tif 000003
【図３】
0004304650.tif 000004
【図４】
0004304650.tif 000005